(57)【特許請求の範囲】
【請求項１】
画像を印刷済みの記録材を複数の排出先のいずれかに選択的に出力可能な印刷制御装置であって、
複数の排出先から空いている排出先を特定する特定手段と、
記録材に印刷ジョブに基づいて印刷された画像の向きを判定する判定手段と、
前記判定手段による判定結果に基づき、同一の向きの画像が印刷された記録材が同一の排出先に排出されるように、前記特定手段により特定された空いている排出先から排出先を選択する選択手段とを有し、
前記選択手段は、第１の印刷ジョブに対して前記特定手段により特定された空いている排出先から２以上の排出先を選択し、前記第１のジョブに対して選択した排出先とは異なる排出先を第２の印刷ジョブに対して選択することを特徴とする印刷制御装置。
【請求項２】
前記判定手段は、印刷対象の画像データに付加されている方向を示す情報に基づき画像の向きを判定することを特徴とする請求項１に記載の印刷制御装置。
【請求項３】
前記判定手段は、さらに印刷対象の画像データの印刷の際に指定されている出力サイズを判定し、
前記選択手段は、画像の向き及び出力サイズに基づき、同一の向きの画像が印刷された同一サイズの記録材が同一の排出先に排出されるよう排出先を選択することを特徴とする請求項１又は２に記載の印刷制御装置。
【請求項４】
選択手段は、印刷対象の画像データが製本処理を行うべきものである場合、当該製本処理に関わる複数の画像の向きに関わらず当該複数の画像が印刷された複数の記録材は同一の排出先に排出されるよう選択することを特徴とする請求項１〜３のいずれか１項に記載の印刷制御装置。
【請求項５】
印刷ジョブに基づいて画像を印刷する印刷部をさらに備えることを特徴とする請求項１〜４のいずれか１項に記載の印刷制御装置。
【請求項６】
複数の排出先から空いている排出先を特定し、
記録材に印刷ジョブに基づいて印刷された画像の向きを判定し、
前記判定の結果に基づき、同一の向きの画像が印刷された記録材が同一の排出されるように、特定された空いている排出先から排出先を選択し、
排出先を選択する際、第１の印刷ジョブに対して特定された空いている排出先から２以上の排出先を選択し、前記第１のジョブに対して選択した排出先とは異なる排出先を第２の印刷ジョブに対して選択することを特徴とする印刷制御方法。
【請求項７】
請求項１〜５のいずれか１項に記載の印刷制御装置の各手段または請求項６に記載の印刷制御方法をコンピュータにより実現することを特徴とするプログラム。
【発明の詳細な説明】
【技術分野】
【０００１】
本発明は、画像を印刷済みの記録材を複数の排出先のいずれかに選択的に出力可能な印刷制御装置、方法及びプログラムに関する。
【背景技術】
【０００２】
従来、印刷済みの記録材を、印刷単位での仕分けを目的として複数の排出先のいずれかに選択的に出力可能なものが知られている（特許文献１参照）。ところで、写真の印刷サービスなどでは、印刷結果が正しく印刷できているかをオペレータによる目視で確認する、検品作業が行われる。
【先行技術文献】
【特許文献】
【０００３】
【特許文献１】特開平１１−３４９２０７号公報
【発明の概要】
【発明が解決しようとする課題】
【０００４】
しかしながら、この検品作業を行う場合、印刷された結果は様々な方向で撮影された写真が大量にあり、検品作業が容易ではなかった。特許文献１では、印刷単位での仕分けのみを目的とした出力であり、やはり検品作業を行う場合には様々な方向の印刷物が混在することになり、検品は容易ではなかった。
【０００５】
本発明は、上述の問題点に鑑みなされたもので、種々の方向の画像を印刷した場合であっても容易に検品可能となる印刷制御装置、方法及びプログラムを提供するものである。
【課題を解決するための手段】
【０００６】
上記課題を解決するため、本発明の印刷制御装置は、画像を印刷済みの記録材を複数の排出先のいずれかに選択的に出力可能な印刷制御装置であって、複数の排出先から空いている排出先を特定する特定手段と、記録材に印刷ジョブに基づいて印刷された画像の向きを判定する判定手段と、前記判定手段による判定結果に基づき、同一の向きの画像が印刷された記録材が同一の排出先に排出されるよう前記特定手段により特定された空いている排出先から排出先を選択する選択手段とを有し、前記選択手段は、第１の印刷ジョブに対して前記特定手段により特定された空いている排出先から２以上の排出先を選択し、前記第１のジョブに対して第２の印刷ジョブに対して選択した排出先とは異なる排出先を選択する。
【発明の効果】
【０００７】
本発明によれば、印刷済みの記録材を、画像の向き毎に区別して排出するので、容易に印刷結果の検品を行うことができる。
【図面の簡単な説明】
【０００８】
【図１】本発明の実施形態の一例である画像形成装置の構成を示す図である。
【図２】図１の画像形成装置の制御に関わる構成を示すブロック図である。
【図３】実施形態の処理の流れを示すフローチャートである。
【図４】シート上に印刷される画像を示す図である。
【図５】画像の向きと排出先のトレーの関係を示すテーブルである。
【図６】実施形態の処理の流れを示すフローチャートである。
【図７】シート上に印刷される画像を示す図である。
【図８】シートサイズと排出先のトレーの関係を示す図である。
【図９】実施形態の処理の流れを示すフローチャートである。
【発明を実施するための形態】
【０００９】
以下、本発明を実施するための形態について図面を用いて説明する。なお、この実施の形態で用いる装置の各構成要素の相対配置、装置形状等は、あくまで例示であり、それらのみに限定するものではない。
【００１０】
図１は、本実施形態における印刷制御装置の一例となる画像形成装置の概略構成を示す図である。図１の画像形成装置は、外部装置から受信したデータを印刷する印刷機能のみを有したものを示すが、これに限らず、原稿上の画像を読取る読取装置をさらに備えて複写機として機能するものや他の機能を加えた複合装置としてもよい。
【００１１】
また、印刷処理を行う記録材（被記録媒体または記録シート）としてロールシートを用いたものを例に説明する。このロールシートは連続シートの例であるが、ロール状となったもの以外でもよい。また、連続シートの切断は、画像形成装置が自動的に切断するものであってもよいし、ユーザがマニュアル指示を行って切断するものであってもよい。記録材の材質も紙には限らず、印刷処理可能なものであれば種々のものを用いることができる。また、画像形成装置は、連続シートへの印刷のみではなく、所定のサイズに予めカットされたカットシートへの印刷が可能な画像形成装置としてもよい。
【００１２】
また、印刷方式は後述する画像印刷用液体インクを用いたインクジェット方式による画像の印刷には限らない。記録材に付与する記録剤として固形インクを用いてもよいし、トナーを用いた電子写真方式、昇華方式、熱転写方式、ドットインパクト方式など種々のものを採用可能である。また、複数色の記録剤を用いたカラー記録を行うものには限らず、黒色（グレーを含む）のみによるモノクロ記録を行うものとしてもよい。また、印刷は、可視画像の印刷には限らず、不可視もしくは視認が困難な画像の印刷としてもよいし、一般的な画像以外の、例えば配線パターン、部品の製造における物理的パターン、ＤＮＡの塩基配列等のプリントなど種々のものの印刷としてもよい。つまり、記録剤を記録材に付与可能なものであれば種々のタイプの記録装置に適用可能である。また、図１の画像形成装置と接続された外部装置からの指示で当該画像形成装置における印刷処理の動作を制御させる場合、この外部装置が印刷制御装置となる。
【００１３】
図１は、記録材としてロールシート（搬送方向において印刷単位（１ページ）の長さよりも長い連続した連続シート）を用いた画像形成装置の全体構成の概略を示す断面図である。画像形成装置は、以下の構成要素１０１〜１１５を含み、これらが１つの筐体内に配置される。ただし、これらの構成要素を複数の筐体に分けて構成してもよい。
【００１４】
制御ユニット１０８は、コントローラ（ＣＰＵまたはＭＰＵを含む）やユーザインターフェース情報の出力器（表示情報や音響情報などの発生器）、各種Ｉ／Ｏインターフェースを備えた制御部を内蔵し、画像形成装置全体の各種制御を司る。
【００１５】
ロールシートを収納し、そして供給するユニットとして上段シートカセット１０１ａと下段シートカセット１０１ｂの２基を備える。使用者はロールシート（以下、シート）をマガジンに装着してから画像形成装置本体に装填する。上段シートカセット１０１ａから引き出されたシートは図中ａ方向に、下段シートカセット１０１ｂから引き出されたシートは図中ｂ方向にそれぞれ搬送される。いずれのカセットからのシートも図中ｃ方向に進行して搬送ユニット１０２に到達する。搬送ユニット１０２は、複数の回転ローラ１０４を通して印刷処理中にシートを図中ｄ方向（水平方向）に搬送する。供給元のシートカセットを一方から他方に切り替える際は、既に引き出されているシートをカセット内に巻き戻し、新たに供給させるシートがセットされているカセットから新たに供給する。また、シートカセットは２基単位で増設も可能であり、増設されるシートカセットは図１で見てシートカセット１０１ａ、１０１ｂの右側に配置され、やはりａ方向、ｂ方向にシートが搬送される。各シートカセットのロールシートを交換する際には、ユーザがシートマガジンのドアをオープンさせ、ロールシートまたはロールシートを使い切っている場合にはロールの芯を抜き取り、新たなロールシートを装着させる。シートマガジンのドアがオープンされている間は、当該シートカセットからのシートの供給処理は禁止される。
【００１６】
また、各シートカセットにセットされているロールシートはセンサによってロールの直径が計測され、おおよその残量（長さ）が判定される。そして印刷処理によってロールシートが使用されるとその長さを計測し、残量を更新する。またロールシートの直径も定期的に計測され、残量は適宜補正される。なお、直径の計測に代え、半径の計測や、ロールの芯から最も外側の位置までの距離を計測するなど、種々の方法を用いてもよい。
【００１７】
搬送ユニット１０２の上方にはヘッドユニット１０５が搬送ユニット１０２と対向して配置される。ヘッドユニット１０５では複数色（本実施形態では７色）分の独立した印刷ヘッド１０６がシートの搬送方向に沿って保持されている。本例ではＣ（シアン）、Ｍ（マゼンタ）、Ｙ（イエロー）、ＬＣ（ライトシアン）、ＬＭ（ライトマゼンタ）、Ｇ（グレー）、Ｋ（ブラック）の７色に対応した７つの印刷ヘッドを有す。もちろん、これら以外の色を用いたものでもよいし、これらの全てを用いる必要もない。
【００１８】
本画像形成装置は、搬送ユニット１０２によるシートの搬送に同期させて、印刷ヘッド１０６からインクを吐出させてシート上に画像を形成する。なお、印刷ヘッド１０６はインクの吐出先が回転ローラ１０４と重ならない位置に配置される。インクはシートに直接吐出させるのに代え、中間転写体にインクを付与した後、そのインクをシートに付与することによって画像を形成させるものとしてもよい。
これら搬送ユニット１０２、ヘッドユニット１０５、印刷ヘッド１０６を含んで本実施形態の印刷用ユニットが構成されている。
【００１９】
インクタンク１０９は各色のインクを独立して貯蔵する。インクタンク１０９からはチューブによって各色に対応して設けられたサブタンクまでインクが供給され、サブタンクから各印刷ヘッド１０６までチューブを介してインクが供給される。印刷ヘッド１０６は、印刷時の搬送方向ｄ方向に沿って各色（本実施形態では７色）のラインヘッドが並んでいる。各色のラインヘッドは、継ぎ目無く単一のノズルチップで形成されたものであってもよいし、分割されたノズルチップが一列又は千鳥配列のように規則的に並べられたものであってもよい。本実施形態では、本装置が使用可能な最大サイズのシートの印刷領域の幅分をカバーする範囲にノズルが並んでいる所謂フルマルチヘッドとする。ノズルからインクを吐出するインクジェット方式は、発熱素子を用いた方式、ピエゾ素子を用いた方式、静電素子を用いた方式、ＭＥＭＳ素子を用いた方式等を採用することができる。印刷データに基づいて各ヘッドのノズルからインクが吐出されるが、吐出のタイミングは搬送用エンコーダ１０３の出力信号によって決定される。
【００２０】
シートに画像が形成された後、当該シートは搬送ユニット１０２から、スキャナユニット１０７まで搬送される。スキャナユニット１０７では、シート上の印刷画像や特殊パターンを光学的に読取って印刷画像に問題がないかどうかの確認や、インクの吐出状態を含む本装置の状態確認等を行う。印刷画像の確認方法としては、ヘッドの状態の確認するためのパターンを読み込むことによるインクの吐出状態を確認するものでもよいし、元画像との比較を行うことによる印刷の成否を確認するものでもよい。確認の方法は種々のものの中から適宜選択することが可能である。
【００２１】
シートはスキャナユニット１０７近傍からｅ方向に搬送され、カッタユニット１１０に導入される。カッタユニット１１０ではシートを所定の印刷単位の長さ毎に切断する。印刷する画像サイズに応じてこの所定の印刷単位の長さは異なる。例えばＬ版サイズの写真では搬送方向の長さは１３５ｍｍ、Ａ４サイズでは搬送方向の長さは２９７ｍｍとなる。カッタユニット１１０は、片面印刷の場合はページ単位でシートを切断するが、印刷ジョブの内容によってはページ単位で切断しない場合もある。また、カッタユニット１１０は両面印刷の場合、シートの第１面（先に印刷が行われる面。たとえばおもて面）はページ単位で切断せずに所定の長さ分まで画像を連続して印刷し、第２面（後に印刷が行われる面。たとえば裏面）を印刷した場合にページ単位で切断する。なお、カッタユニット１１０は、片面印刷や両面印刷の裏面印刷に際し、１枚の画像毎に切断するものに限らない。所定の長さ分搬送されるまで切断せず、所定の長さまで搬送された後で切断し、１枚（１頁）の画像毎に切り離すのは別のカッタ装置で手動操作等によって切断するものとしてもよい。またシートの幅方向に関しては、切断が必要な場合、別のカッタ装置を用いて切断することになる。
【００２２】
カッタユニット１１０から搬送されたシートは、ユニット内を図中ｆ方向に搬送され、裏面印字ユニット１１１に搬送される。裏面印字ユニット１１１は、シートの片面のみに画像を印刷する場合に、シートの裏面に所定の情報を印刷させるためのユニットである。シートの裏面に印刷する情報としては、印刷画像毎に対応した文字、記号、コード等の情報（例えば、オーダー管理用番号等）が含まれる。裏面印字ユニット１１１は、印刷ヘッド１０６が両面印刷の印刷ジョブのための画像を印刷する場合、印刷ヘッド１０６が画像を印刷する領域以外に上記のような情報を印刷する。裏面印字ユニット１１１は、記録剤の押印、熱転写、インクジェットなどの方式を採用可能である。
【００２３】
裏面印字ユニット１１１を通ったシートは、次に乾燥ユニット１１２に搬送される。乾燥ユニット１１２は、インクが付与されたシートを短時間で乾燥させるために、ユニット内を図中ｇ方向に通過するシートを温風（加温された気体（空気））で加熱するユニットである。なお、乾燥の方法は温風を用いるのに代え、冷風、ヒーターによる加温、待機させることのみによる自然乾燥、紫外光等の電磁波の照射など種々のものも採用可能である。印刷単位長さに切断されたシートは１枚ずつ乾燥ユニット１１２内を通過して、図中ｈ方向に搬送されて仕分けユニット１１４に搬送される。
【００２４】
仕分けユニット１１４は、複数のトレー（本実施形態では１８個）を保持しており、印刷単位の長さ等に応じでシートの排出先のトレーを区別する。各トレーにはトレー番号が割り当てられている。仕分けユニット１１４では、ユニット内を図中ｉ方向に通過するシートを、各トレー上に設けられたセンサでトレーの空きやシートが満載か否かなどを確認しながら印刷画像毎に設定されたトレー番号に対応するトレーに排出していく。切断されたシートの排出先となるトレーは、印刷ジョブの発行元（ホスト装置）で特定のものが指定される場合や、画像形成装置側で空いているトレーが任意に指定される場合がある。１つのトレーには予め決められた枚数まで排出可能である。この予め決められた枚数を超える印刷ジョブの場合、複数のトレーに跨って排出される。トレーに対して排出可能なシートの枚数やサイズ、種類などは、そのトレーの大きさ（タイプ）等によって異なっている。図１において縦（上下）に並んでいるトレー（以下、大トレー）群は大サイズ（Ａ４サイズ等、Ｌ版サイズより大きいもの）のシート、小サイズ（Ｌ版サイズ）の両方のシートの排出が可能である。また、横（左右）に並んでいるトレー（以下、小トレー）群は小サイズ（Ｌ版サイズ）のシートの排出が可能であるが大サイズのシートの排出はできない。そして、大トレーの方が小トレーより排出可能なシートの出力枚数が多い。
【００２５】
また、シート排出中や排出完了等の状態は、表示器を用いてユーザが識別可能にする（例えば、ＬＥＤ等を用いる）。例えば、トレーのそれぞれに互いに異なる色で発光する複数のＬＥＤを設け、点灯しているＬＥＤの色や点灯状態か点滅状態かなどによって各トレーの種々の状態をユーザに通知可能である。また、複数のトレーのそれぞれには優先順位を付すことができ、画像形成装置は、印刷ジョブを実行するにあたり、空いている（シートが存在しない）トレーを、優先順位に従って順にシートの排出先として割り当てていく。デフォルトでは、大トレーは上のトレーほど優先順位が高く、小トレーは左側ほど優先順位が高い。また大トレーより、小トレーの優先順位が高い。この優先順位はユーザがシートを取り出しやすい位置の優先順位を予め高くしておいてもよい。またユーザによる操作等で適宜変更可能なものとしてもよい。
【００２６】
シート巻取りユニット１１３は、ページ毎に切断されずにおもて面が印刷されたシートの巻取りを行う。両面印刷の際にはまずおもて面に画像形成が行われたシートを、カッタユニット１１０でページ単位では切断せず、連続したおもて面の印刷が終了した後に切断する。おもて面が印刷されたシートは、ユニット内を図中のｊ方向に通過し、シート巻取りユニット１１３が巻取る。そして、一連のページ分のおもて面の画像形成が終了して、巻き取られたシートは、先のおもて面とは反対面を印刷可能な面にして、つまり印刷ヘッド１０６に対向させる面を反転させて、再度ユニットの図中のｋ方向に搬送される。このように搬送させることで、先のおもて面とは反対の裏面の画像の印刷を行わせる。通常の片面印刷の場合は、画像が印刷されたシートは、シート巻取りユニット１１３による巻取りを行わせずに仕分けユニット１１４に搬送される。
【００２７】
このように、両面印刷の際は、シート巻取りユニット１１３を用いてシートの巻取りを行い、シートを反転させて裏面の印刷を行うため、片面印刷のときと両面印刷のときとでは仕分けユニット１１４への排出の際のシートの面が異なる。即ち、片面印刷の場合はシート巻取りユニット１１３を用いたシートの反転が行われないので、先頭ページの画像が印刷されたシートは先頭ページの画像が下を向いた状態で排出される。そして１つの印刷ジョブが複数ページあるジョブの場合、先頭ページのシートからトレーに排出され、以後後続のページへと順次排出されシートが重なっていく。このような排出をフェイスダウン排出と呼ぶ。一方、両面印刷の場合はシート巻取りユニット１１３を用いたシートの反転が行われるので、先頭ページの画像が印刷されたシートは先頭ページの画像が上を向いた状態で排出される。そして１つの印刷ジョブが複数枚のシートの出力を行うジョブの場合、最後のページを含むシートからトレーに排出され、以後若いページのシートへと順次排出されシートが重なっていき、最終的に先頭ページの画像が印刷されたシートが排出される。このような排出をフェイスアップ排出と呼ぶ。なお、片面印刷の場合と両面印刷の場合とで排出の際のシートの面を同じ（フェイスアップまたはフェイスダウンに統一）とすべく、片面印刷時と両面印刷時とで第１面の印刷順序（降順とするか昇順とするか）を変えるようにしてもよい。
【００２８】
操作ユニット１１５は、ユーザが種々の操作を行ったり、ユーザに種々の情報を通知したりするためのユニットである。例えば、ユーザに指定された画像が印刷されたシートはどこのトレーに積載されているか、あるいは当該画像が印刷中か印刷終了かなど、オーダー毎の印刷状況の確認が可能である。また、インク残量や、シートの残量等、装置の各種状態の確認、ヘッドクリーニング等の装置メンテナンスの実施の指示を行うためにユーザが操作／確認可能である。
【００２９】
図２は、図１で示した画像形成装置における制御に関わる構成を説明するためのブロック図である。画像形成装置２００は図１に示した画像形成装置である。ただし、以下の構成は一例であり、種々の変更が可能である。
【００３０】
ＣＰＵ２０１、ＲＯＭ２０２、ＲＡＭ２０３、画像処理部２０７、エンジン制御部２０８、スキャナ制御部２０９が主に制御ユニット１０８に含まれる。そして、制御ユニット１０８にＨＤＤ２０４、操作部２０６、外部Ｉ／Ｆ２０５などがシステムバス２１０を介して接続される。
ＣＰＵ２０１は、マイクロプロセッサ（マイクロコンピュータ）形態の中央演算処理部であり、図１の制御ユニット１０８に含まれる。ＣＰＵ２０１は、プログラムの実行やハードウェアの起動により画像形成装置２００全体の動作を制御する。ＲＯＭ２０２は、ＣＰＵ２０１が実行するためのプログラムや画像形成装置２００の各種動作に必要な固定データを格納する。ＲＡＭ２０３は、ＣＰＵ２０１のワークエリアとして用いられたり、種々の受信データの一時格納領域として用いられたり、各種設定データを記憶させたりする。ＨＤＤ２０４は、ＣＰＵ２０１が実行するためのプログラム、印刷データ、画像形成装置２００の各種動作に必要な設定情報を、内蔵するハードディスクに記憶させたり、読み出したりすることが可能である。なお、ＨＤＤ２０４に代えて、他の大容量記憶装置としてもよい。
【００３１】
操作部２０６は、ユーザが種々の操作を行うためのハードキーやタッチパネル、またユーザに種々の情報を提示（通知）するための表示部を含み、図１の操作ユニット１１５に対応するものである。またユーザへの情報の提示は音声発生器からの音響情報に基づく音響（ブザー、音声等）を出力することによっても行うこともできる。
【００３２】
画像処理部２０７は、画像形成装置２００で扱う印刷データ（例えば、ページ記述言語で表されたデータ）の画像データ（ビットマップ画像）への展開（変換）や画像処理を行う。入力された印刷データに含まれる画像データの色空間（たとえばＹＣｂＣｒ）を、標準的なＲＧＢ色空間（たとえばｓＲＧＢ）に変換する。また、画像データに対し、有効な（画像形成装置２００が印刷処理可能な）画素数への解像度変換、画像解析、画像補正等、様々な画像処理が必要に応じて施される。これらの画像処理によって得られた画像データは、ＲＡＭ２０３または、ＨＤＤ２０４に格納される。
【００３３】
エンジン制御部２０８は、ＣＰＵ２０１等から受信した制御コマンドに応じて、印刷データに基づく画像をシート上に印刷する処理の制御を行う。各色の印刷ヘッド１０６へのインク吐出指示や、記録媒体上でのドット位置（インクの着弾位置）を調整するための吐出タイミング設定、ヘッド駆動状態取得に基づく調整等を行う。印刷データに応じて印刷ヘッドの駆動制御を行い、印刷ヘッドからインクを吐出させシート上に画像を形成させる。また、シートをカセットから引き出す引き出しローラの駆動指示、引き出されたシートを搬送させる搬送ローラの駆動指示、搬送ローラの回転状況取得等を行う等、搬送ローラの制御を行い、シートを適切な速度及び経路で搬送および停止させる。
【００３４】
スキャナ制御部２０９は、ＣＰＵ２０１等から受信した制御コマンドに応じて、イメージセンサーの制御を行い、シート上の画像を読取り、赤（Ｒ）、緑（Ｇ）および青（Ｂ）色のアナログ輝度データを取得し、デジタルデータに変換する。イメージセンサーとしては、ＣＣＤイメージセンサーやＣＭＯＳイメージセンサー等を採用可能である。また、イメージセンサーはリニアイメージセンサーとしてもエリアイメージセンサーとしてもよい。また、スキャナ制御部２０９は、イメージセンサーの駆動指示、該駆動に基づくイメージセンサーの状況取得を行い、イメージセンサーから取得した輝度データを解析し、印刷ヘッド１０６からのインクの不吐やシートの切断位置の検出等を行う。スキャナ制御部２０９で画像が正しく印刷されていると判定されたシートは、シート上のインクの乾燥処理が施された後に、指定された仕分けユニットのトレーに排出される。
【００３５】
ホスト装置２１１は、上述した外部装置に対応し、本画像形成装置２００の外部に接続され、画像形成装置２００に印刷を行わせるための画像データの供給源となる装置であり、種々の印刷ジョブのオーダーを発行する。
ホスト装置２１１は、汎用のパーソナルコンピュータ（ＰＣ）によって実現してもよいし、他のタイプのデータ供給装置としてもよい。他のタイプのデータ供給装置としては、画像をキャプチャーして画像データを生成する画像キャプチャー装置がある。画像キャプチャー装置は、原稿上の画像を読取って画像データを生成するリーダ（スキャナ）、ネガフィルムやポジフィルムを読取って画像データを生成するフィルムスキャナなどである。また、画像キャプチャー装置の他の例として静止画を撮影してデジタル画像データを生成するデジタルカメラ、動画を撮影して動画像データを生成するデジタルビデオもある。その他、ネットワーク上にフォトストレージを設置し、ネットワーク経由でフォトストレージに記憶されている画像ファイルを取得して当該画像ファイルから生成した画像データの画像を印刷するものとしてもよい。また、画像形成装置２００に着脱可能な可搬性メモリを挿入するソケットを設け、可搬性メモリに格納された画像ファイルを読み出して画像データを生成して印刷するものとしてもよい。また、汎用的なＰＣに代え、本画像形成装置専用の端末とするなど、種々のデータ供給装置としてもよい。これらのデータ供給装置は画像形成装置の構成要素としてもよいし、画像形成装置の外部に接続した別の装置としてもよい。また、ホスト装置２１１をＰＣとした場合、ＰＣの記憶装置に、ＯＳ、画像データを生成するアプリケーションソフトウェア、画像形成装置２００用のプリンタドライバがインストールされる。プリンタドライバは、本画像形成装置２００を制御したり、アプリケーションソフトウェアから供給された画像データを画像形成装置２００が扱える形式に変換して印刷データを生成したりする。また、印刷データから画像データへの変換をホスト装置２１１側で行ってから画像形成装置２００に供給するようにしてもよい。なお、以上の処理の全てをソフトウェアで実現することは必須ではなく、一部または全部をＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアによって実現するようにしてもよい。ホスト装置２１１から供給される画像データやその他のコマンド、更にステータス信号等は、外部Ｉ／Ｆ２０５を介して画像形成装置２００と送受信可能である。外部Ｉ／Ｆ２０５はローカルＩ／ＦであってもネットワークＩ／Ｆであってもよい。また、外部Ｉ／Ｆ２０５は、有線による接続であっても無線による接続であっても構わない。
【００３６】
画像形成装置２００内の上記した各構成はシステムバス２１０を介して接続され、互いに通信可能である。
【００３７】
なお、以上の例では、１つのＣＰＵ２０１が図２に示した画像形成装置２００内の全ての構成要素を制御するものとしたが、この構成以外としてもよい。即ち、各機能ブロックのいくつかが別途ＣＰＵを備え、それぞれのＣＰＵによって個別に制御するものとしてもよい。また、各機能ブロックは図２に示した構成以外の分担のさせ方により個別の処理部または制御部として適宜分割したり、いくつかを統合したりするなど、種々の形態を採用可能である。また、メモリからのデータの読み出しにはＤＭＡＣ（Ｄｉｒｅｃｔ  Ｍｅｍｏｒｙ  Ａｃｃｅｓｓ  Ｃｏｎｔｒｏｌｌｅｒ）も用いることもできる。
【００３８】
以上のような構成において、印刷ジョブはホスト装置２１１から注文情報という形式で、出力される切断後のシートサイズを示す仕上がりサイズなどの印刷設定、そして印刷対象の画像データとが画像形成装置２００に送信される。ここで扱う画像データの形式はＥｘｉｆ規格に準拠したＪＰＥＧ形式とする。この画像データに付加されているＥｘｉｆ情報にはＯｒｉｅｎｔａｔｉｏｎ情報が含まれ、画像の９０度単位での向きが特定できるものとする。画像形成装置２００は注文情報を受信すると、ＨＤＤ２０４に一旦記憶し、これに含まれる画像データを伸張し、ＲＡＭ２０３に記憶する処理などを行う。
【００３９】
次に画像形成装置２００がホスト装置２１１からの注文情報を受け付け、それを印刷ジョブとして印刷処理する際の処理の流れについて説明する。図３は１つの注文情報に含まれる複数の画像を印刷し、それぞれの画像が印刷されたシート群を１つのトレーに排出する処理の流れを示すフローチャートである。なお、以降に示す処理はＣＰＵ２０１が、ＲＯＭ２０２またはＨＤＤ２０４に格納されている制御プログラムをＲＡＭ２０３にロードし、それを実行することにより行われる処理を示す。
【００４０】
Ｓ３０１において、ＣＰＵ２０１はＨＤＤ２０４から注文情報を１件ＲＡＭ２０３に読み出し、次のステップに進む。Ｓ３０２において、ＣＰＵ２０１はＳ３０１で読み出した注文情報の画像が印刷されたシートを排出するための空きトレーを１つ検索し、選択する。そしてＳ３０３において、ＣＰＵ２０１は注文情報の画像データをＲＡＭ２０３から読み出し、シート上に画像の記録（印刷）を行う。そしてＳ３０４において、ＣＰＵ２０１は印刷済みのシートを切断後、シートを搬送させＳ３０２で選択したトレーに排出する。そしてＳ３０５において、注文情報に含まれる全ての画像データの記録およびシートの排出が終了したか否か判断し、終了した場合は、処理を終了する。終了していない場合は、Ｓ３０３へ進んで同様の処理を繰り返す。
【００４１】
図４はシート上に記録された画像を示す図である。各画像のサイズは同じである。これはシートの切断及び排出が行われる前のものである。図４において、４０１はシートの搬送方向を示す。４０２はカッタユニット１１０によって切断される１を示す。４０３はＥｘｉｆ  Ｏｒｉｅｎｔａｔｉｏｎタグの値が１または２の画像データの画像をシートに記録したときの図である。同様に４０４はＥｘｉｆ  Ｏｒｉｅｎｔａｔｉｏｎタグの値が３または４の場合、４０５はＥｘｉｆ  Ｏｒｉｅｎｔａｔｉｏｎタグの値が７または８の場合、４０６はＥｘｉｆ  Ｏｒｉｅｎｔａｔｉｏｎタグの値が５または６の場合をそれぞれ表す。
【００４２】
図５は、Ｅｘｉｆ  Ｏｒｉｅｎｔａｔｉｏｎタグの値と、空きトレーの場所をマッピングしたテーブルを示す図である。本テーブルはＲＡＭ２０３に記憶されている。仕分けユニット１１４を構成する複数のトレーには識別ナンバーがそれぞれ割り当てられている。テーブルのトレーナンバーは、１つの注文情報の印刷を開始するときに、ＣＰＵ２０１によって、空きトレーが検索され、当該空きトレーのナンバーに更新される。
【００４３】
図６は、画像が印刷されたシートを、画像の向きに基づいてこの向き毎に仕分けてトレーに排出する処理の流れを示すフローチャートである。
Ｓ６０１において、ＣＰＵ２０１はＨＤＤ２０４から注文情報をＲＡＭ２０３に読み出し、次のステップに進む。Ｓ６０２において、ＣＰＵ２０１はＳ６０１で読み出した注文情報に含まれる複数の画像が印刷されたシート群を１つのトレーに排出するか否かを判断する。１つのトレーに排出すると判断した場合は、図３で説明したフローで処理が行われる。このとき複数の画像のそれぞれの向きに関わらず１つのトレーに排出される。否と判断した場合は、次のステップに進む。
【００４４】
上記で１つのトレーに積載すると判断される注文情報には例えば複数の画像を記録したシートを製本するフォトブックや複数の画像で１セットとなるカレンダーがある。これらの注文は、図３の処理終了後、全画像データのシート群に対して製本処理等を行う。この場合当該シート群が１つのトレーに、順番に積載されていた方がユーザは作業がしやすい。一方、例えば単葉等、１つ１つの画像が独立したものは、図６の処理終了後、各シート上の画像の検品作業だけを行う。検品作業の場合、各画像が印刷されたそれぞれのシートの積載順番より、各画像の天地を含む向きが揃っている方が作業しやすい。
【００４５】
Ｓ６０３では、ＣＰＵ２０１はシートが積まれていない空きトレーを４つ取得する。その空きトレーのトレーナンバーを図５のテーブルに書き込む。そしてＳ６０４において、ＣＰＵ２０１は注文情報の画像データを１つ読み出し、シート上に印刷する。
そしてＳ６０５において、ＣＰＵ２０１は、Ｓ６０４で印刷した画像データのＥｘｉｆ  Ｏｒｉｅｎｔａｔｉｏｎタグの値を取得する。そして、Ｓ６０６において、印刷済みのシートを排出する空きトレーを選択する。このとき、ＣＰＵ２０１は取得した対応する画像データのＥｘｉｆ  Ｏｒｉｅｎｔａｔｉｏｎタグの値に合致するトレーナンバーを図５のテーブルから選択する。そしてＳ６０７において、ＣＰＵ２０１は選択したトレーナンバーのトレーに、当該シートを排出する。
Ｓ６０８では、ＣＰＵ２０１は注文情報に含まれる全ての画像データの画像の印刷および印刷済みシートの排出が終了したか否か判断し、終了した場合は、Ｓ６０９に進み、終了していない場合は、Ｓ６０４に進む。
Ｓ６０９では、ＣＰＵ２０１は全ての印刷待ちの注文情報の処理が終了したか否か判断し、終了した場合は、次へ進み処理を終了し、終了していない場合は、Ｓ６０１へ進む。
【００４６】
以上のような処理により、画像の向きが一致した印刷物が同一のトレーに排出されるので、検品作業が容易となる。なお、以上の処理では画像の向きを、画像データに付加されているＯｒｉｅｎｔａｔｉｏｎタグの情報に従って判別するようにしたが、これには限らない。例えば、画像内のオブジェクト認識、画像内の文字認識、画像に付加されるフレームの向きなど、種々の方法によって画像の向きを判別するようにしてもよい。
【００４７】
次に、サイズの異なる複数の画像を、サイズ毎に仕分ける場合の処理について説明する。図７は排出されるシートのサイズの異なる複数の画像がシート上に記録された場合の例を示す図である。これは図４と同様にシートが切断される前のものである。７０１はシートの搬送方向、７０２は切断位置を示す。７０３は仕上がりサイズが６×８インチである注文情報の画像を６インチ幅のシートに記録した場合の画像である。以下同様に７０４は４×６インチの画像を、７０５は６×６インチの画像をそれぞれ６インチ幅のシートに記録した場合の図である。
【００４８】
図８は、排出時の（切断後の）シートのサイズ、画像形成装置２００にセットされているシート（記録媒体）のシート幅、空きトレーの場所をマッピングしたテーブルを示す図である。本テーブルはＲＡＭ２０３に記憶されている。上述のように仕分けユニット１１４を構成する複数のトレーには識別ナンバーがそれぞれ割り当てられている。テーブルのトレーナンバーは、１つの注文情報の印刷を開始するときにＣＰＵ２０１によって空きトレーが検索され、当該空きトレーのナンバーに更新される。
【００４９】
図９は、排出されるシートのサイズに従ってシートを仕分けして排出する処理の流れを示すフローチャートである。
まずＳ９０１において、ＣＰＵ２０１はＨＤＤ２０４から注文情報をＲＡＭ２０３に読み出し、次のステップに進む。
そしてＳ９０２において、ＣＰＵ２０１はＳ９０１で読み出した注文情報に含まれる複数の画像を印刷したシート群を１つのトレーに積載するか否かを判断する。注文情報を１つのトレーに積載すると判断した場合は、図３で説明したフローで処理が行われる。このとき複数の画像のそれぞれの向きに関わらず１つのトレーに排出される。否と判断した場合は、次のステップに進む。判断の詳細については、Ｓ６０２で述べたのでここでは省略する。
【００５０】
次にＳ９０３において、ＣＰＵ２０１は、Ｓ９０１で読み出した注文情報に含まれるシートサイズと画像形成装置２００にセットされているシートのシート幅から図８のテーブルを作成する。当該テーブルから注文情報に必要な空きトレーの個数を算出する。ここでは６インチのシート幅のシートがセットされているものとする。
Ｓ９０４では、ＣＰＵ２０１は、Ｓ９０３で算出した個数分の空きトレーを取得する。そしてその空きトレーのトレーナンバーを図８のテーブルに書き込む。
【００５１】
そしてＳ９０５において、ＣＰＵ２０１は注文情報の画像データを１つ読み出し、シート上に画像を記録する。そしてＳ９０５において、ＣＰＵ２０１は、Ｓ９０５で画像を記録したシートのシートサイズ（幅と長さの関係を含む）を取得する。
Ｓ９０７では、ＣＰＵ２０１はシートを排出するトレーとして、取得したシートサイズに合致するトレーナンバーを図８のテーブルから選択する。そしてＳ９０８において、ＣＰＵ２０１は選択したトレーナンバーのトレーに、当該シートを排出する。
Ｓ９０９において、ＣＰＵ２０１は注文情報に含まれる全ての画像データの記録およびシートの排出が終了したか否か判断し、終了した場合は、Ｓ９１０へ進み、終了していない場合は、Ｓ９０５へ進む。
Ｓ９１０では、ＣＰＵ２０１は全ての印刷待ちの注文情報の処理が終了したか否か判断し、終了した場合は、次へ進み処理を終了し、終了していない場合は、Ｓ９０１へ進む。
以上のような処理により、幅と長さ（縦と横）の関係を含め同一のサイズの印刷物が同一のトレーに排出されるので、検品作業が容易となる。この場合も多くの場合、画像の向きも一致したものとなる。
【００５２】
なお、図６の処理と図７の処理の両方を行い、画像の向きとシートサイズとが同一のものを同一のトレーに排出し、より容易に検品作業が行えるようにしてもよい。
また、ホスト装置２１１以外、画像形成装置２００から印刷を行う部分を除いた外付けコントローラで同様の処理を行ってもよい。これらのような実施形態では、ホスト装置２１１や外部コントローラのような外部装置が印刷制御装置として機能することになる。
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。また、プログラムは、１つのコンピュータで実行させても、複数のコンピュータが連動して実行するようにしてもよい。また、上記した処理の全てをソフトウェアで実現する必要はなく、一部または全部をハードウェアによって実現するようにしてもよい。
また、本発明は上記実施形態に限定されるものではなく、本発明の趣旨に基づき種々の変形（他の実施形態への応用、他の実施形態との組合せ等を含む）も可能である。
【図１】
0005783745.tif 000002
【図２】
0005783745.tif 000003
【図３】
0005783745.tif 000004
【図４】
0005783745.tif 000005
【図５】
0005783745.tif 000006
【図６】
0005783745.tif 000007
【図７】
0005783745.tif 000008
【図８】
0005783745.tif 000009
【図９】
0005783745.tif 000010